(57)【要約】      （修正有）【課題】内部の掃除が可能な水面浮動玩具を提供する。【解決手段】水面に浮動可能な玩具は、玩具本体１０とフレーム３０を含む。玩具本体には収容キャビティ１１と第１開孔１２が設けられる。フレームは、第１開孔部分を介して収容キャビティ内に位置する。フレームにはスナップフィット部３１が設けられ、スナップフィット部には係止溝３１３が設けられ、係止溝は第１開孔と適合する。玩具本体は第１開孔により係止溝と係合し、玩具本体とフレームとの接続及び固定が実現され、収容キャビティが閉じられる。フレームにより収容キャビティが開閉され、浮動可能な玩具の内部を掃除することができる。【選択図】図１
0003226694.tif 000002
【実用新案登録請求の範囲】
【請求項１】
浮動可能な玩具であって、玩具本体とフレームを含み、
前記玩具本体は、収容キャビティ、及び前記収容キャビティを外部環境と連通させる第１開孔を備え、
前記フレームにはスナップフィット部が設けられ、前記スナップフィット部には係止溝が設けられ、前記係止溝は前記第１開孔に装着され、係合により前記玩具本体を前記フレームに接続し固定して、前記収容キャビティを閉じる、ことを特徴とする浮動可能な玩具。
【請求項２】
前記スナップフィット部は、外側スナップフィット部と内側スナップフィット部を含み、
前記外側スナップフィット部と前記内側スナップフィット部は両方とも円形を呈し、前記内側スナップフィット部は前記外側スナップフィット部の片面から延び、前記係止溝は前記内側スナップフィット部に設けられ、前記内側スナップフィット部を取り囲んでいる、ことを特徴とする請求項１に記載の浮動可能な玩具。
【請求項３】
前記係止溝は前記第１開孔に装着され、前記外側スナップフィット部は前記収容キャビティ外に位置する、ことを特徴とする請求項２に記載の浮動可能な玩具。
【請求項４】
前記フレームは補強部を更に含み、
前記補強部は前記内側スナップフィット部に接続され、半円形を呈し、前記収容キャビティ内に位置し、
前記外側スナップフィット部、内側スナップフィット部及び前記補強部の中心点は同じである、ことを特徴とする請求項２に記載の浮動可能な玩具。
【請求項５】
前記フレームはフック部を更に含み、前記フック部は前記収容キャビティ内に位置し、
前記フック部は、前記補強部及び前記内側スナップフィット部に接続され、前記フック部は、前記補強部及び前記内側スナップフィット部との接続箇所で折り曲げられる、前記フック部には貫通孔が設けられる、ことを特徴とする請求項４に記載の浮動可能な玩具。
【請求項６】
前記フレームは第１接続部を更に含み、前記第１接続部は前記収容キャビティ内に位置し、
前記第１接続部はＳ字形を呈し、前記第１接続部の一端が前記内側スナップフィット部に接続され、前記第１接続部と前記フック部はそれぞれ前記内側スナップフィット部の対向する両側に位置する、ことを特徴とする請求項５に記載の浮動可能な玩具。
【請求項７】
前記フレームは第２接続部を更に含み、前記第２接続部は前記収容キャビティ内に位置し、
前記第２接続部は前記第１接続部の他端に接続され、前記第２接続部は、前記第１接続部との接続箇所で折り曲げられる、ことを特徴とする請求項６に記載の浮動可能な玩具。
【請求項８】
前記第２接続部には取り付け孔が設けられ、前記取り付け孔は貫通孔であり、
前記玩具はアンダーカット部を更に含み、
前記玩具本体の前記アンダーカット部に対応する位置に第２開孔が設けられ、
前記アンダーカット部の一端は、前記第２開孔を通過し、前記取り付け孔にしっかりと装着される、ことを特徴とする請求項７に記載の浮動可能な玩具。
【請求項９】
前記第２接続部は、その半径方向に沿って延びる遮断部を有し、前記遮断部はそれぞれ前記第２接続部の外側に位置し、前記第１接続部に対して対称的に接続される、ことを特徴とする請求項７に記載の浮動可能な玩具。
【請求項１０】
前記玩具本体と前記フレームはプラスチック材料からなり、前記玩具本体は、伸縮性又は弾性を有する軟質プラスチック材料からなる、ことを特徴とする請求項１に記載の浮動可能な玩具。
【考案の詳細な説明】
【技術分野】
【０００１】
本考案の実施例は玩具の分野に関し、特に浮動可能な玩具に関する。
【背景技術】
【０００２】
浮動可能な玩具は、子供たちの間でますます人気が高まっており、通常浴槽で使用され、プラスチック材料からなる。加工中にフレームが設けられず、密閉設計が直接採用されて、浮動可能な玩具の内部全体が密閉状態とされるので、外部の湿気が玩具の内部に容易に入り込まないことが保証される。
【０００３】
しかしながら、浮動玩具の中央が中空であるが、ケース全体に１つの小さな孔のみがあるため、水と湿気は進入できるが完全に流出することができず、内部に長時間閉じ込められる。一定の時間が経つにつれて、内部と内部の空洞には多くの細菌が繁殖する。また、浮動可能な玩具が密閉設計であるため、内部を掃除することができない。
【考案の概要】
【０００４】
本考案の実施例は、スナップフィット部を取り外すことによって内部を洗浄できる浮動可能な玩具を提供することを目的とする。
【０００５】
上記の技術的問題を解決するために、本考案の実施例が採用する技術的手段は、浮動可能な玩具を提供することである。この浮動可能な玩具は、玩具本体とフレームとを含み、
前記玩具本体は、収容キャビティ、及び前記収容キャビティを外部環境と連通させる第１開孔を備え、
前記フレームにはスナップフィット部が設けられ、前記スナップフィット部には係止溝が設けられ、前記係止溝は前記第１開孔に装着され、係合により前記玩具本体を前記フレームに接続し固定して、前記収容キャビティを閉じる。
オプションで、前記スナップフィット部は、外側スナップフィット部と内側スナップフィット部を含み、
前記外側スナップフィット部と前記内側スナップフィット部は両方とも円形を呈し、前記内側スナップフィット部は前記外側スナップフィット部の片面から延び、前記係止溝は前記内側スナップフィット部に設けられ、前記内側スナップフィット部を取り囲んでいる。
【０００６】
オプションで、前記係止溝は前記第１開孔に装着され、前記外側スナップフィット部は前記収容キャビティ外に位置する。
【０００７】
オプションで、前記フレームは補強部を更に含み、
前記補強部は前記内側スナップフィット部に接続され、半円形を呈し、前記収容キャビティ内に位置し、
前記外側スナップフィット部、内側スナップフィット部及び前記補強部の中心点は同じである。
【０００８】
オプションで、前記フレームはフック部を更に含み、前記フック部は前記収容キャビティ内に位置し、
前記フック部は、前記補強部及び前記内側スナップフィット部に接続され、且つ前記補強部及び前記内側スナップフィット部との接続箇所で折り曲げられる。前記フック部には貫通孔が設けられる。
【０００９】
オプションで、前記フレームは第１接続部を更に含み、前記第１接続部は前記収容キャビティ内に位置し、
前記第１接続部はＳ字形を呈し、前記第１接続部の一端が前記内側スナップフィット部に接続され、前記第１接続部と前記フック部はそれぞれ前記内側スナップフィット部の対向する両側に位置する。
【００１０】
オプションで、前記フレームは第２接続部を更に含み、前記第２接続部は前記収容キャビティ内に位置し、
前記第２接続部は前記第１接続部の他端に接続され、前記第２接続部は、前記第１接続部との接続箇所で折り曲げられる。
【００１１】
オプションで、前記第２接続部には取り付け孔が設けられ、前記取り付け孔は貫通孔であり、
前記玩具はアンダーカット部を更に含み、
前記玩具本体の前記アンダーカット部に対応する位置に第２開孔が設けられ、
前記アンダーカット部の一端は、前記第２開孔を通過し、前記取り付け孔にしっかりと装着される。
【００１２】
オプションで、前記第２接続部は、その半径方向に沿って延びる遮断部を有し、前記遮断部はそれぞれ前記第２接続部の外側に位置し、前記第１接続部に対して対称的に接続される。
【００１３】
オプションで、前記玩具本体と前記フレームはプラスチック材料からなり、前記玩具本体は、伸縮性又は弾性を有する軟質プラスチック材料からなる。
【００１４】
本考案の実施例の有益な効果は、次のとおりである。前記玩具本体には収容キャビティ及び第１開孔が設けられ、前記第１開孔は前記収容キャビティを外部環境と連通させるために使用される。前記フレームにはスナップフィット部が設けられ、前記スナップフィット部には係止溝が設けられる。前記第１開孔と前記係止溝とがしっかりと係合された後、前記フレームの一部は前記収容キャビティ内に収容される。それにより、前記浮動可能な玩具の内部は密閉状態となることが保証され、また、前記フレームを取り外すことによって、前記浮動可能な玩具の内部を掃除することができる。
【図面の簡単な説明】
【００１５】
【図１】本考案の実施例に係る浮動可能な玩具の分解図である。
【図２】図１に示される浮動可能な玩具の別の分解図である。
【図３】図１に示される浮動可能な玩具の断面図である。
【図４】本考案の実施例２の分解図である。
【図５】本考案の実施例３の分解図である。
【図６】本考案の実施例４の分解図である。
【図７】本考案の実施例５の分解図である。
【図８】本考案の実施例６に係るフレームの斜視図である。
【考案を実施するための形態】
【００１６】
本考案をよく理解するために、以下添付図面と具体的な実施例を組み合わせて本考案に対して更に詳細に説明する。なお、ある素子が他の素子に「固定される」と説明される場合、それは他の素子に直接配置されてもよいし、又は介在する１つ又は複数の素子が存在してもよい。ある素子が他の素子に「接続される」と説明される場合、それは他の素子に直接接続されてもよいし、又は介在する１つ又は複数の素子が存在してもよい。本明細書で使用される「垂直」、「水平」、「左」、「右」、「内」、「外」などのような用語は、単に説明のためのものである。
【００１７】
さらに定義されていない限り、本明細書で使用されるすべての技術及び科学用語は本考案の当業者が通常に理解する意味と同じである。本考案の明細書に使用される用語は具体的な実施例を説明するためのものであり、本考案を制限するものではない。本明細書で使用される用語「及び／又は」は、１つ又は複数の関連の挙げられた項目の任意の組合せ及びすべての組合せを含む。
【００１８】
＜実施例１＞
図１及び図２を参照されたい。本考案の一実施例により提供される浮動可能な玩具１００は、玩具本体１０、アンダーカット部２０及びフレーム３０を含む。前記アンダーカット部２０及び前記フレーム３０は両方とも前記玩具本体１０と着脱可能に装着される。前記アンダーカット部２０と前記フレーム３０とも着脱可能に装着される。前記アンダーカット部２０及び前記フレーム３０は、両方とも部分的に前記玩具本体１０内に位置し、部分的に前記玩具本体１０外に位置する。前記フレーム３０により、前記玩具本体１０を開閉することができる。
【００１９】
前記浮動可能な玩具１００は、子供たちに好まれ、一般的に子供たちが入浴するための玩具として使用される。本実施例では、前記浮動可能な玩具１００は鴨玩具である。当然のことながら、前記浮動可能な玩具１００は鴨玩具に限定されず、他の動物又は他の非動物玩具であってもよく、本明細書では限定されない。
【００２０】
具体的には、前記玩具本体１０は、プラスチック材料で作られ、軽量で水面に浮くことができ、且つ伸縮性と弾性を有し、押圧で変形することができ、軟質なプラスチック材料で作られる。ゴム又はポリ塩化ビニルが選択され得る。
【００２１】
前記玩具本体１０内には収容キャビティ１１、第１開孔１２及び第２開孔１３が設けられる。前記第１開孔１２と前記第２開孔１３は両方とも前記収容キャビティ１１を外部環境と連通させる。前記収容キャビティ１１は、前記アンダーカット部２０の一部及び前記フレーム３０の一部を収容するために使用される。具体的には、前記フレーム３０の一部は前記第１開孔１２を介して前記収容キャビティ１１内に挿入され、前記アンダーカット部２０の一部は前記第２開孔１３を介して前記収容キャビティ１１内に挿入される。
【００２２】
前記アンダーカット部２０にはキノコ型留め部２１が設けられる。前記キノコ型留め部２１はキノコの形状を呈する。前記キノコ型留め部２１の一端は、前記第２開孔１３を通過して前記フレーム３０に装着され、前記玩具本体１０、アンダーカット部２０及び前記フレーム３０を接続し、同時に前記第２開孔１３を閉じ、外部の水が前記収容キャビティ１１内に入ることを回避する。
【００２３】
オプションで、前記アンダーカット部２０と前記玩具本体１０及び前記フレーム３０との装着は、必ずしも前記キノコ型留め部２１によってではなく、他の構造を配置することによって実現され得る。
【００２４】
図３を併せて参照されたい。前記フレーム３０は、前記玩具本体１０を開閉するために使用され、前記玩具本体１０に対して一定の支持効果を有し、同時に、前記第１開孔１２及び前記第２開孔１３を閉じて、前記収容キャビティ１１を密閉環境にし、外部の水が前記収容キャビティ１１内に入ることを回避する。
【００２５】
本実施例では、前記フレーム３０の材料は軟質プラスチックであり、弾性を有しているが、テクスチャーが比較的硬く、加工及び製造中に射出成形によって作られる。
【００２６】
具体的には、前記フレーム３０は、スナップフィット部３１、補強部３２、フック部３３、第１接続部３４及び第２接続部３５を含む。前記スナップフィット部３１は、略円形を呈し、前記補強部３２は、略半円形を呈する。前記補強部３２は、前記スナップフィット部３１の一面に位置する。前記フック部３３は前記スナップフィット部３１に接続され、接続箇所で折り曲げられる。前記第１接続部３４の一端は前記スナップフィット部３１に接続され、他端は前記第２接続部３５に接続される。前記フック部３３と前記第１接続部３５はそれぞれ前記スナップフィット部３１の対向する両側に位置する。
【００２７】
オプションで、前記スナップフィット部３１は他の形状を呈してもよい。前記スナップフィット部３１の形状は前記第１開孔１２の形状に関連する。
【００２８】
前記スナップフィット部３１は外側スナップフィット部３１１、内側スナップフィット部３１２及び係止溝３１３を含む。前記内側スナップフィット部３１２は、前記外側スナップフィット部３１１の一側から、前記外側スナップフィット部３１１から離れる方向に伸びる。前記外側スナップフィット部３１１の直径は、前記内側スナップフィット部３１２の直径よりも大きい。前記係止溝３１３は、前記内側スナップフィット部３１２に設けられ、前記内側スナップフィット部３１２の外面から延びて、前記内側スナップフィット部３１２を取り囲み、前記外側スナップフィット部３１１と前記内側スナップフィット部３１２との間に位置する。また、前記係止溝３１３と前記外側スナップフィット部３１１の端面とは面一である。前記係止溝３１３は、前記玩具本体１０との装着に使用され、係合により前記フレーム３０と前記玩具本体１０を接続し固定する。
【００２９】
取り付け中、前記第１開孔１２と前記係止溝３１３とはしっかりと装着され、前記外側スナップフィット部３１１は、前記収容キャビティ１１外に配置され、それにより前記第１開孔１２を閉じる。
【００３０】
オプションで、前記スナップフィット部３１には凹溝（図示せず）がさらに設けられる。前記凹溝は、前記外側スナップフィット部３１１の前記内側スナップフィット部３１２から離れる側から、前記内側スナップフィット部３１２の方向に伸びる。前記凹溝は円形を呈する。
【００３１】
前記凹溝を設けることにより、前記係止溝３１３と前記第１開孔１２とを手で押すことにより容易に装着することができ、同時に、材料を節約することができる。当然のことながら、前記凹溝は省略されてもよい。
【００３２】
前記補強部３２は、前記内側スナップフィット部３１２の一側から、前記内側スナップフィット部３１２から離れる方向に伸び、その直径は前記内側スナップフィット部３１２の直径と等しい。前記外側スナップフィット部３１１、内側スナップフィット部３１２及び前記補強部３２の中点は同じである。
【００３３】
前記補強部３２には凹部（図示せず）が設けられる。前記凹部は半円形を呈する。前記凹部は、前記内側スナップフィット部３１２に対して、前記内側スナップフィット部３１２の中点に位置する。前記凹部は、前記補強部３２を貫通し、その底部と、前記補強部３２に接続された前記内側スナップフィット部３１２の端面とは面一である。
【００３４】
前記補強部３２は、厚肉化及び強化の役割を果たし、前記フレーム３０が受ける力の大きさを増大させる。それにより、前記フレーム３０は外力によって容易に損傷を受けず、前記フレーム３０の寿命を延ばす。また、前記補強部３２は前記内側スナップフィット部３１２に位置し、前記補強部３２自体が一定の重量を有するため、前記スナップフィット部３１と前記補強部３２との重畳重量が大きくなり、それにより、前記フレーム３０全体が前記玩具本体１０内でより安定し、前記浮動可能な玩具１００全体が水上により安定して浮遊することができる。
【００３５】
オプションで、前記スナップフィット部３１の厚さが十分である場合、前記補強部３２は省略されてもよい。
【００３６】
前記フック部３３は前記補強部３２及び前記内側スナップフィット部３１２に接続される。前記フック部３３は、接続箇所で折り曲げられる。前記フック部３３には貫通孔３３１が設けられ、前記貫通孔３３１は略半円形を呈する。
【００３７】
前記フック部３３は、前記フレーム３０全体に対してある程度の支持と安定化効果を果たす。また、前記浮動可能な玩具１００から前記フレーム３０を取り外した後に、前記フック部３３を介して前記フレーム３０を掛けて配置することができる。
【００３８】
前記第１接続部３４はＳ字状を呈し、一端が前記内側スナップフィット部３１２に接続され、他端が前記第２接続部３５に接続される。前記第１接続部３４と前記フック部３３はそれぞれ前記内側スナップフィット部３１２の対向する両側に位置する。
【００３９】
前記第１接続部３４は、前記第２接続部３５に力を作用させ、取り付け後に前記第２接続部３５に力を与えることができる。それにより、前記第２接続部３５は、前記収容キャビティ１１の内壁に密着し、前記アンダーカット部２０と前記第２開孔１３との間の隙間を封止し、水が入ることを回避することができ、同時に、前記フレーム３０全体に対して支持及び安定化効果がある。
【００４０】
前記第２接続部３５は、前記第１接続部３４との接続箇所で折り曲げられる。前記第２接続部３５には、前記玩具本体１０に装着するための取り付け孔３５１が設けられる。前記取り付け孔３５１は、前記第２接続部３５を貫通する。前記第２接続部３５の径方向に遮断部３５２が設けられる。前記遮断部３５２は、前記第２接続部３５の外側にそれぞれ位置し、いずれも前記第２接続部３５に接続される。また、２つの前記遮断部３５２は、前記第１接続部３４に対して対称である。前記第２接続部３５及び２つの前記遮断部３５２はいずれも前記第１接続部３４の方向に曲げられる。
【００４１】
本実施例では、前記第２接続部３５は、前記アンダーカット部２０との装着のために使用される。前記アンダーカット部２０の前記キノコ型留め部２１は、前記第２開孔１３を通過して前記取り付け孔３５１としっかりと適合し、外部の水が前記キノコ型留め部２１と前記取り付け孔３５１との間の隙間から前記収容キャビティ１１内に入ることを回避する。前記第１接続部３４は、前記第２接続部３５に力を作用させ、前記第２接続部３５及び２つの前記遮断部３５２を前記収容キャビティ１１の内壁に密着し、前記第２開孔１３を閉じて、外部の水が前記第２開孔１３から前記収容キャビティ１１内に入らないようにする。
【００４２】
本実施例では、一つの装着方法は次のとおりである。前記フレーム３０の前記第２接続部３５の一端を前記玩具本体１０の前記収容キャビティ１１内に挿入し、前記アンダーカット部２０の一端を前記第２開孔１３に通して前記第２接続部３５の前記取り付け孔３５１に装着して固定する。最後に、前記玩具本体１０の前記第１開孔１２と前記フレーム３０の前記係止溝３１３とを係合する。
【００４３】
なお、本実施例では、前記玩具本体１０と前記フレーム３０は両方ともプラスチック材料からなり、前記玩具本体１０は、伸縮性を有し押圧で変形できる軟質プラスチック材料からなるため、上述した装着方法を実現することができる。
【００４４】
本出願の技術的解決手段では、前記浮動可能な玩具１００は玩具本体１０とフレーム３０を含む。前記玩具本体１０は、収容キャビティ１１と第１開孔１２を含む。前記フレーム３０はスナップフィット部３１を含む。前記スナップフィット部３１は、外側スナップフィット部３１１、内側スナップフィット部３１２及び係止溝３１３を含む。前記係止溝３１３は、前記内側スナップフィット部３１２に設けられ、前記内側スナップフィット部３１２の外面から延び、前記内側スナップフィット部３１２を取り囲んでいる。前記玩具本体１０は、前記第１開孔１２を介して前記係止溝３１３としっかりと係合され、前記玩具本体１０と前記フレーム３０とが着脱可能に装着され、前記第１開孔１２が閉じられる。前記浮動可能な玩具１００の内部を掃除する必要がある場合、前記フレーム３０を取り外して掃除することができ、前記浮動可能な玩具１００が清潔であることが保証される。
【００４５】
さらに、前記玩具本体１０は第２開孔１３を更に含み、前記浮動可能な玩具１００はアンダーカット部２０を更に含む。前記アンダーカット部２０にはキノコ型留め部２１が設けられる。前記フレーム３０には第１接続部３４と第２接続部３５が設けられる。前記第１接続部３４の一端は前記スナップフィット部３１に接続され、他端は前記第２接続部３５に接続され、それにより、前記スナップフィット部３１と前記第２接続部３５とが接続される。前記第２接続部３５には、前記キノコ型留め部２１と装着するための取り付け孔３５１が設けられる。前記アンダーカット部２０の前記キノコ型留め部２１は、前記第２開孔１３及び前記取り付け孔３５１を通過した後、前記取り付け孔３５１にしっかりと装着されることによって、前記アンダーカット部２０、玩具本体１０及び前記フレーム３０を接続し、前記キノコ型留め部２１と前記取り付け孔３５１との間の隙間を閉じる。前記第２接続部３５の両側に遮断部３５２がさらに設けられる。前記第１接続部３４は、前記スナップフィット部３１と前記第２接続部３５とを接続することに加えて、前記第２接続部３５に力を作用させるので、前記第２接続部３５及び前記遮断部３５２を前記収容キャビティ１１の内壁に密着させ、前記第２開孔１３と前記キノコ型留め部２１との間の隙間を閉じて、外部の水が前記収容キャビティ１１内に入ることを回避する。
【００４６】
さらに、上記の装着方法によって、前記フレーム３０の一端は前記玩具本体１０と装着され、他端は前記アンダーカット部２０と装着される。子供、特に幼児の力が弱いため、前記フレーム３０と前記玩具本体１０、及び前記フレーム１０と前記アンダーカット部２０は、子供の力の下でも容易に分離できない。それにより、子供は気にせずに前記浮動可能な玩具１００を解体し、前記アンダーカット部２０を呑みこむことが防止され、分解の危険が回避される。
【００４７】
＜実施例２＞
図４に示すように、本考案の具体的な実施例では、実施例２がさらに提供される。実施例２と実施例１との相違は、次のとおりである。実施例１のアンダーカット部２０とフレーム３０との着脱可能な装着とは異なり、本実施例では、アンダーカット部２０にキノコ型留め部２１の構造がなくされ、フレーム３０とアンダーカット部２０とが一体構造となる。対応する玩具本体１０の第２開孔１３もそれに応じて変更される。即ち、第２開孔１３のキノコ型留め部２１を通過させるための円形の貫通孔がなくされ、第２開孔１３は、細長い楕円形の開孔となり、アンダーカット部２０を通過させ且つアンダーカット部２０と第２接続部３５との間に挟まれるために使用される。本実施例の他の構造は、実施例１のものと同じであるため、同じ構造は重複して説明しない。
【００４８】
＜実施例３＞
図５に示すように、本考案の具体的な実施例では、実施例３がさらに提供される。実施例３と実施例１との相違は、次のとおりである。本実施例では、内側スナップフィット部３１２は、実施例１の内側スナップフィット部３１２とは異なる。さらに、本実施例では、内側スナップフィット部３１２の形状は、実施例１の内側スナップフィット部３１２の形状とは異なる。本実施例の内側スナップフィット部３１２の形状は水滴状に近似し、内側スナップフィット部３１２のサイズは外側スナップフィット部３１１のサイズよりも小さく、係止溝３１３のサイズよりも大きい。それに応じて、対応する玩具本体１０の第１開孔１２も変更される。第１開孔１２の形状は内側スナップフィット部３１２の形状と適合し、第１開孔１２は、内側スナップフィット部３１２を通過した後、内側スナップフィット部３１２と外側スナップフィット部３１１との間の係止溝３１３で係止される。本実施例の他の構造は、実施例１のものと同じであるため、同じ構造は重複して説明しない。
【００４９】
＜実施例４＞
図６に示すように、本考案の具体的な実施例では、実施例４がさらに提供される。実施例４と実施例１の相違は、次のとおりである。本実施例では、玩具本体１０は柱形である。第２開孔１３は円形の貫通孔であり、玩具本体１０の上部の中央位置に設けられる。フレーム３０の第１接続部３４の形状はＣ字形である。アンダーカット部２０は円形であり、フレーム３０に着脱可能に接続される。本実施例の他の構造は、実施例１のものと同じであるため、同じ構造は重複して説明しない。
【００５０】
＜実施例５＞
図７に示すように、本考案の具体的な実施例では、実施例５がさらに提供される。実施例５と実施例４との相違は、次のとおりである。実施例４のアンダーカット部２０とフレーム３０との着脱可能な接続とは異なり、本実施例では、アンダーカット部２０にキノコ型留め部２１の構造がなくされ、フレーム３０とアンダーカット部２０とが一体構造となる。本実施例の他の構造は、実施例４のものと同じであるため、同じ構造は重複して説明しない。
【００５１】
＜実施例６＞
本考案の具体的な実施例では、実施例６がさらに提供される。実施例６と実施例１との相違は、フレーム３０の構造が異なることである。フレーム３０の構造がわずかに異なることを除いて、他の構造は同じであるため、同じ構造は重複して説明しない。
【００５２】
具体的には、図４に示すように、本実施例では、第１接続部３４は、実施例１の第１接続部３４とは異なる。さらに、本実施例では、第２接続部３５に近接する折り曲げ箇所を第１折り曲げ部３４１と呼び、内側スナップフィット部３１２に近接する折り曲げ箇所を第２折り曲げ部３４２と呼ぶ。第１接続部３４の第１折り曲げ部３４１には第１キャビティ３４３が設けられ、第１接続部３４の第２折り曲げ部３４２には第２キャビティ３４４が設けられる。第１キャビティ３４３と第２キャビティ３４４はいずれも第１接続部３４を貫通する。第１キャビティ３４３は、第１折り曲げ部３４１の径方向に沿って配置され、第２キャビティ３４４は、第２折り曲げ部３４２の径方向に沿って配置される。第１キャビティ３４３の形状と第２キャビティ３４４の形状はいずれも三日月形である。第１キャビティ３４３と第２キャビティ３４４を追加することによって、第１接続部３４の支持強度及び使用寿命を向上させることができ、第１折り曲げ部３４１又は第２折り曲げ部３４２は反復の押圧や折り曲げで破損することがなく、フレーム３０全体の支持性及び安定性が向上する。
【００５３】
本実施例では、フック部３３は、実施例１のフック部３３とは異なる。さらに、本実施例では、フック部３３は第１フック部３３２と第２フック部３３３に分けられている。第１フック部３３１には貫通孔３３１が設けられ、この貫通孔３３１は、実施例１のものと同じ機能を有する。第１フック部３３２は、収容キャビティ１１の内壁と接触して緊密に当接し、補強部３２に近接する側に第２フック部３３３が設けられ、第２フック部３３３は中実構造である。第２フック部３３３と第１フック部３３２とは一体化され、第１フック部３３２と第２フック部３３３との間には貫通溝３３４が設けられる。第２フック部３３３は、第１フック部３３２が力を受けて第２フック部３３３の方向に折り曲げられるときに第１フック部３３２に当接するために使用され、フック部３３の支持強度をさらに向上させ、第１フック部３３２に大きすぎる貫通孔３３１を設けた後に第１フック部３３２の支持強度が低下することを防止することができる。第２フック部３３３を追加した後、第１フック部３３２の貫通孔３３１のサイズが大きすぎても、フック部３３全体の支持強度に影響を与えず、フレーム３０全体がより安定する。
【００５４】
なお、本考案の明細書及び図面には本考案の好ましい実施例が挙げられたが、本考案は多くの様々な形態で実施することができ、本明細書に記載の実施例に限定されない。これらの実施例は、本考案の内容に対する追加の制限として意図されない。これらの実施例を提供する目的は、本考案の開示の内容に対する理解をより徹底的かつ全面的にすることである。また、上記の各技術的特徴を引き続き互いに組み合わせて、上に記載されていない様々な実施例を形成するのはすべて本考案の明細書に記載された範囲内とみなされる。さらに、当業者は上記の説明に従って修正及び変更を行うことができ、それらの修正及び変更はすべて実用新案登録請求の範囲にある。
【符号の説明】
【００５５】
１００  浮動可能な玩具
１０  玩具本体
２０  アンダーカット部
３０  フレーム
１１  収容キャビティ
１２  第１開孔
１３  第２開孔
２１  キノコ型留め部
３１  スナップフィット部
３２  補強部
３３  フック部
３４  第１接続部
３５  第２接続部
３１１  外側スナップフィット部
３１２  内側スナップフィット部
３１３  係止溝
３３１  貫通孔
３３２  第１フック部
３３３  第２フック部
３３４  貫通溝
３４１  第１折り曲げ部
３４２  第２折り曲げ部
３４３  第１キャビティ
３４４  第２キャビティ
３５１  取り付け孔
３５２  遮断部
【図１】
0003226694.tif 000003
【図２】
0003226694.tif 000004
【図３】
0003226694.tif 000005
【図４】
0003226694.tif 000006
【図５】
0003226694.tif 000007
【図６】
0003226694.tif 000008
【図７】
0003226694.tif 000009
【図８】
0003226694.tif 000010
【手続補正書】
【提出日】令和2年3月25日(2020.3.25)
【手続補正１】
【補正対象書類名】実用新案登録請求の範囲
【補正対象項目名】全文
【補正方法】変更
【補正の内容】
【実用新案登録請求の範囲】
【請求項１】
水面に浮動可能な玩具であって、玩具本体とフレームを含み、
前記玩具本体は、収容キャビティ、及び前記収容キャビティを外部環境と連通させる第１開孔を備え、
前記フレームにはスナップフィット部が設けられ、前記スナップフィット部には係止溝が設けられ、前記係止溝は前記第１開孔に装着され、係合により前記玩具本体を前記フレームに接続し固定して、前記収容キャビティを閉じる、ことを特徴とする浮動可能な玩具。
【請求項２】
前記スナップフィット部は、外側スナップフィット部と内側スナップフィット部を含み、
前記外側スナップフィット部と前記内側スナップフィット部は両方とも円形を呈し、前記内側スナップフィット部は前記外側スナップフィット部の片面から延び、前記係止溝は前記内側スナップフィット部に設けられ、前記内側スナップフィット部を取り囲んでいる、ことを特徴とする請求項１に記載の浮動可能な玩具。
【請求項３】
前記係止溝は前記第１開孔に装着され、前記外側スナップフィット部は前記収容キャビティ外に位置する、ことを特徴とする請求項２に記載の浮動可能な玩具。
【請求項４】
前記フレームは補強部を更に含み、
前記補強部は前記内側スナップフィット部に接続され、半円形を呈し、前記収容キャビティ内に位置し、
前記外側スナップフィット部、内側スナップフィット部及び前記補強部の中心点は同じである、ことを特徴とする請求項２に記載の浮動可能な玩具。
【請求項５】
前記フレームはフック部を更に含み、前記フック部は前記収容キャビティ内に位置し、
前記フック部は、前記補強部及び前記内側スナップフィット部に接続され、前記フック部は、前記補強部及び前記内側スナップフィット部との接続箇所で折り曲げられる、前記フック部には貫通孔が設けられる、ことを特徴とする請求項４に記載の浮動可能な玩具。
【請求項６】
前記フレームは第１接続部を更に含み、前記第１接続部は前記収容キャビティ内に位置し、
前記第１接続部はＳ字形を呈し、前記第１接続部の一端が前記内側スナップフィット部に接続され、前記第１接続部と前記フック部はそれぞれ前記内側スナップフィット部の対向する両側に位置する、ことを特徴とする請求項５に記載の浮動可能な玩具。
【請求項７】
前記フレームは第２接続部を更に含み、前記第２接続部は前記収容キャビティ内に位置し、
前記第２接続部は前記第１接続部の他端に接続され、前記第２接続部は、前記第１接続部との接続箇所で折り曲げられる、ことを特徴とする請求項６に記載の浮動可能な玩具。
【請求項８】
前記第２接続部には取り付け孔が設けられ、前記取り付け孔は貫通孔であり、
前記玩具はアンダーカット部を更に含み、
前記玩具本体の前記アンダーカット部に対応する位置に第２開孔が設けられ、
前記アンダーカット部の一端は、前記第２開孔を通過し、前記取り付け孔にしっかりと装着される、ことを特徴とする請求項７に記載の浮動可能な玩具。
【請求項９】
前記第２接続部は、その半径方向に沿って延びる遮断部を有し、前記遮断部はそれぞれ前記第２接続部の外側に位置し、前記第１接続部に対して対称的に接続される、ことを特徴とする請求項７に記載の浮動可能な玩具。
【請求項１０】
前記玩具本体と前記フレームはプラスチック材料からなり、前記玩具本体は、伸縮性又は弾性を有する軟質プラスチック材料からなる、ことを特徴とする請求項１に記載の浮動可能な玩具。